(57)【要約】【課題】ティッシュボックスにごみ箱を併設させることで、使用済みのティッシュをいつでもどこでも容易且つ見た目良く廃棄できるようにする。【解決手段】ティッシュボックス１０と、ティッシュボックス１０に隣り合って設けられたごみ箱１２とからなり、ティッシュボックス１０とごみ箱１２は略同じ大きさ形状の直方体又は立方体からなり、ティッシュボックス１０とごみ箱１２は上縁１８で折り曲げ可能に連結され、ティッシュボックス１０とごみ箱１２は連結されている上縁１８を介して対称になっており、ティッシュボックス１０内には折り畳まれた複数枚のティッシュ２０が収納されている。【選択図】図１
2017036050.tif 000002
【特許請求の範囲】
【請求項１】
ティッシュボックスと、該ティッシュボックスに隣り合って設けられたごみ箱とからなり、該ティッシュボックスと該ごみ箱は略同じ大きさ形状の直方体又は立方体からなり、該ティッシュボックスの上縁と該ごみ箱の上縁は折り曲げ可能に連結され、該ティッシュボックスと該ごみ箱は連結されている上縁を介して略対称になっており、該ティッシュボックス内には折り畳まれた複数枚のティッシュが収納されていることを特徴とするごみ箱付きティッシュボックス。
【請求項２】
前記上縁には切り離し可能にミシン目が形成されていることを特徴とする請求項１に記載のごみ箱付きティッシュボックス。
【請求項３】
前記ティッシュボックスの上面にはティッシュを取り出す取出口が形成され、前記ごみ箱の上面には使用済みのティッシュを押し込む押込口が形成されていることを特徴とする請求項１又は２に記載のごみ箱付きティッシュボックス。
【請求項４】
前記取出口は透明な樹脂シートで裏側から被覆され、該樹脂シートにはスリットが設けられ、前記押込口は透明な樹脂シートで裏側から被覆され、該樹脂シートにはスリットが設けられていることを特徴とする請求項３に記載のごみ箱付きティッシュボックス。
【請求項５】
前記取出口は薄紙で裏側から被覆され、前記押込口は薄紙で裏側から被覆されていることを特徴とする請求項３に記載のごみ箱付きティッシュボックス。
【請求項６】
前記ティッシュボックス及び前記ごみ箱は厚紙を折り曲げて箱状に形成したものからなることを特徴とする請求項１〜５のいずれかに記載のごみ箱付きティッシュボックス。
【請求項７】
前記ティッシュボックスの表面及び前記ごみ箱の表面には広告が形成されていることを特徴とする請求項１〜６のいずれかに記載のごみ箱付きティッシュボックス。
【発明の詳細な説明】
【技術分野】
【０００１】
本発明は、使用済みのティッシュをいつでもどこでも容易且つ見た目良く処分できるごみ箱付きティッシュボックスに関するものである。
【背景技術】
【０００２】
例えば、鼻をかんですっきりしたい場合や、テーブルの上の汚れた所を拭いてきれいにしたい場合は、従来、ティッシュボックスからティッシュを取り出し、取り出したティッシュで鼻をかんだり、テーブルの上の汚れた所を拭いていた。そして、鼻をかんだり、汚れた所を拭いた使用済みの汚いティッシュは近くに置いてあるごみ箱の中に捨てていた。
【０００３】
しかし、ティッシュを使用した人の近くにごみ箱が無い場合、その人はごみ箱を探し、ごみ箱の近くまで行って使用済みの汚いティッシュをごみ箱の中に捨てなければならなかった。また、使用済みの汚いティッシュを捨てる場合、遠くからごみ箱に向けて使用済みの汚いティッシュを投げ込む人がいるが、使用済みの汚いティッシュをこのようにした場合、ごみ箱に命中しなかった使用済みの汚いティッシュがごみ箱の周囲に散乱することがあった。
【０００４】
また、他人の自動車に乗せてもらっていて、ティッシュで鼻をかみ、汚れたティッシュをごみ箱に捨てようとする場合があるが、車内にごみ箱が見当たらないと、使用済みのティッシュを車内に捨てて処分することができないので、使用済みの汚いティッシュを仕方なく自分のポケットに入れておかなければならなかった。
【先行技術文献】
【特許文献】
【０００５】
【特許文献１】実用新案登録第３１５１４９６号公報
【特許文献２】実用新案登録第３１５００３０号公報
【特許文献３】実用新案登録第３１４４４４５号公報
【特許文献４】特開２００５−４７６１５号公報
【特許文献５】実開平６−５９２７２号公報
【発明の概要】
【発明が解決しようとする課題】
【０００６】
本発明が解決しようとする課題は、従来のティッシュボックスでは使用済みのティッシュを容易且つ見た目良く処分できない場合がある点である。
【課題を解決するための手段】
【０００７】
本発明は、使用済みのティッシュをいつでもどこでも容易且つ見た目良く処分できるようにするため、ティッシュボックスにごみ箱を併設させることを最も主要な特徴とする。
【０００８】
本発明は、詳述すれば、ティッシュボックスと、該ティッシュボックスに隣り合って設けられたごみ箱とからなり、該ティッシュボックスと該ごみ箱は略同じ大きさ形状の直方体又は立方体からなり、該ティッシュボックスの上縁と該ごみ箱の上縁は折り曲げ可能に連結され、該ティッシュボックスと該ごみ箱は連結されている上縁を介して対称になっており、該ティッシュボックス内には折り畳まれた複数枚のティッシュが収納されていることを特徴とするものである。
【０００９】
ここで、前記上縁にはミシン目を形成されていてもよい。前記ティッシュボックスの上面にはティッシュを取り出す取出口が形成され、前記ごみ箱の上面には使用済みのティッシュを押し込んで入れる押入口が形成されていてもよい。前記取出口は透明な樹脂シートで裏側から被覆され、該樹脂シートにはスリットが設けられ、前記押入口は透明な樹脂シートで裏側から被覆され、該樹脂シートにスリットが設けられていてもよい。前記ティッシュボックス及び前記ごみ箱は厚紙を折り曲げて箱状に形成したものでもよい。前記ティッシュボックスの表面及び前記ごみ箱の表面には広告が形成されていてもよい。
【発明の効果】
【００１０】
本発明のごみ箱付きティッシュボックスにはごみ箱が付いているので、このごみ箱に使用済みティッシュを捨てることができ、従って、使用済みのティッシュをいつでもどこでも容易且つ見た目良く処分することができるという利点がある。
【００１１】
また、本発明のごみ箱付きティッシュボックスにはごみ箱が付いているので、このごみ箱に使用済みティッシュを捨てることができ、従って、使用済みティッシュを捨てる際にごみ箱を探さなくて済むという利点がある。
【００１２】
また、本発明のごみ箱付きティッシュボックスにはごみ箱が付いているので、このごみ箱に使用済みティッシュを捨てることができ、従って、使用済みティッシュを捨てる際にごみ箱の近くまでゴミを捨てに行かなくて済むという利点がある。
【００１３】
また、本発明のごみ箱付きティッシュボックスにはごみ箱が付いているので、使用済みティッシュをこのごみ箱に捨てることができ、従って、離れた位置にあるごみ箱の周囲を使用済みティッシュで散乱させなくて済むという利点がある。
【００１４】
また、本発明のごみ箱付きティッシュボックスにはごみ箱が付いているので、ごみ箱の無い場所でもこのごみ箱に使用済みティッシュを捨てることができ、従って、ティッシュボックスの持ち運びが便利になるという利点がある。
【００１５】
また、本発明のごみ箱付きティッシュボックスにはごみ箱が付いているので、使用済みティッシュをこのごみ箱に捨てることができ、従って、自動車内等にごみ箱を別途設けておく必要が無くなるという利点がある。
【００１６】
また、本発明のごみ箱付きティッシュボックスにはごみ箱が付いているので、ティッシュボックスに入っているティッシュを使い終わったら、ごみ箱付きティッシュボックスを使用済みティッシュごと捨てれば良く、従って、ごみ箱からゴミを取り出してゴミ袋に入れて捨てるような清掃作業をしなくて済むという利点がある。
【００１７】
また、本発明のごみ箱付きティッシュボックスは、ごみ箱がティッシュボックスと同じ大きさと形状を有しており、ティッシュボックスの上縁とごみ箱の上縁がヒンジで連結されているので、ティッシュボックスの取出口とごみ箱の投入口を向かい合わせた状態で重ねることができ、従って、ティッシュボックスを見たところすっきりした状態で収納しておくことができるという利点がある。
【００１８】
また、本発明のティッシュボックスにはごみ箱が付属しており、ごみ箱がティッシュボックスと同じ大きさと形状を有しているので、ごみ箱の表面も広告・宣伝に使用することができ、従って、より多くの広告・宣伝を表示することができるという利点がある。
【００１９】
また、本発明のごみ箱付きティッシュボックスは、ティッシュボックスとごみ箱を連結している上縁にミシン目を設けた場合、ごみ箱が一杯になった時にごみ箱をミシン目で切り離してそのまま捨てることができるという利点がある。
【図面の簡単な説明】
【００２０】
【図１】図１は本発明の一実施例に係るごみ箱付きティッシュボックス（開く途中の状態）の説明図である。
【図２】図２は本発明の一実施例に係るごみ箱付きティッシュボックス（平らに開いて置いた状態）の説明図である。
【図３】図３は本発明の一実施例に係るごみ箱付きティッシュボックス（折り曲げて重ねた状態）の説明図である。
【図４】図４は図２の状態のごみ箱付きティッシュボックスの断面図である。
【図５】図５は本発明の一実施例に係るごみ箱付きティッシュボックスの展開図である。
【図６】図６は本発明の他の実施例に係るごみ箱付きティッシュボックス（平らに開いて置いた状態）の説明図である。
【図７】図７は本発明の他の実施例に係るごみ箱付きティッシュボックスの展開図である。
【発明を実施するための形態】
【００２１】
使用済みのティッシュをいつでもどこでも容易且つ見た目良く処分するという目的を、簡単な構成で、ティッシュボックスの便利さを損なわずに実現した。
【実施例１】
【００２２】
図１は本発明の一実施例に係るごみ箱付きティッシュボックス（開く途中の状態）の説明図、図２は本発明の一実施例に係るごみ箱付きティッシュボックス（平らに開いて置いた状態）の説明図、図３は本発明の一実施例に係るごみ箱付きティッシュボックス（折り曲げて重ねた状態）の説明図、図４は図２の状態のごみ箱付きティッシュボックスの断面図である。
【００２３】
これらの図において、１０はティッシュボックスであり、ティッシュボックス１０の隣にはごみ箱１２が設けられている。ティッシュボックス１０とごみ箱１２は略同じ大きさ形状の箱状体からなる。ティッシュボックス１０の上面１４とごみ箱１２の上面１６は上縁１８で折り曲げ可能に連結され、ティッシュボックス１０とごみ箱１２は上縁１８を介して対称になっている。ティッシュボックス１０内には折り畳まれた複数枚のティッシュ２０が収納されている。
【００２４】
ティッシュボックス１０の上面１４にはティッシュボックス１０内のティッシュ２０を取り出す矩形の取出口１４ａが設けられ、ごみ箱１２の上面１６には使用済みのティッシュ２２を押し込んで子１２内に入れる矩形の押入口１６ａが設けられている。取出口１４ａは透明な樹脂シート２４で裏側から被覆され、樹脂シート２４にはスリット２４ａが設けられ、押入口１６ａは透明な樹脂シート２６で裏側から被覆され、樹脂シート２６にはスリット２６ａが設けられている。
【００２５】
この実施例において、ティッシュボックス１０とごみ箱１２を連結している上縁１８に切り離し可能にミシン目を設けてもよい。また、取出口１４ａには透明な樹脂シート２４の代わりに薄紙を被覆し、押込口１６ａには透明な樹脂シート２６の代わりに薄紙を被覆してもよい。取出口１４ａ又は押込口１６ａに薄紙を被覆した場合、使用する時は薄紙を破って使用する。
【００２６】
図５は本発明の一実施例に係るごみ箱付きティッシュボックスの展開図である。上記実施例に係るごみ箱付きティッシュボックスは、厚紙を図５の太線に示す線で裁断し、この裁断した厚紙を図５の細線に示す線で折り曲げ、この裁断した厚紙のドットで示された部分２８を糊代として使用し、箱状に形成することにより作成することができる。
【００２７】
上記実施例に係るごみ箱付きティッシュボックスは次のように使用することができる。すなわち、図３の状態のごみ箱付きティッシュボックスを図１から図２に示す様に開き、取出口１４ａからティッシュ２０を取り出し、鼻をかんだり、汚い所を拭くために使用する。使い終わったティッシュ２２は、図４に示すように、押入口１６ａに押し込んでごみ箱１２の中に入れる。ティッシュボックス１０の中の全てのティッシュを使い終わった後は、ティッシュボックス１０にごみ箱１２を折り畳んで重ね、このまま大型のゴミ袋にゴミとして投入し、該ゴミ袋はゴミ集積場に出す。
【実施例２】
【００２８】
図６は本発明の他の実施例に係るごみ箱付きティッシュボックス（平らに開いて置いた状態）の説明図、図７は本発明の他の実施例に係るごみ箱付きティッシュボックスの展開図である。上記実施例ではティッシュボックス１０及びごみ箱１２の平面形状を正方形としたが、本実施例ではティッシュボックス１０及びごみ箱１２の平面形状を長方形とした。この実施例のものは、厚紙を図５７太線に示す線で裁断し、この裁断した厚紙を図７の細線に示す線で折り曲げ、この裁断した厚紙のドットで示された部分２８を糊代として使用し、箱状に形成することにより作成することができる。
【００２９】
なお、上記実施例１，２ではティッシュボックス１０及びごみ箱１２の側面に何も書いてないが、ティッシュボックス１０及びごみ箱１２の側面に広告を表示しても良い。広告を表示したものはアメニティとして利用することができる。
【符号の説明】
【００３０】
１０  ティッシュボックス
１２  ごみ箱
１４  上面
１４ａ  取出口
１６  上面
１６ａ  押入口
１８  上縁
２０  ティッシュ
２２  ティッシュ
２４  樹脂シート
２４ａ  スリット
２６  樹脂シート
２６ａ  スリット
２８  部分
【図１】
2017036050.tif 000003
【図２】
2017036050.tif 000004
【図３】
2017036050.tif 000005
【図４】
2017036050.tif 000006
【図５】
2017036050.tif 000007
【図６】
2017036050.tif 000008
【図７】
2017036050.tif 000009